(57)【要約】【課題】遊技場で遊技する登録ユーザが遊技場内で眼にした問題等に対する解答をサービス提供側のサイトに送信することで景品を取得できるようにした通信サービスシステムを提供する。【解決手段】通信サービスシステムでは、サービス提供サイト側の解答データ判定部が、受信した登録ユーザの携帯電話等の情報機器からの解答が正解か否かを判定し、サービス提供サイトが、解答データ判定部が解答を正解と判定した際に、該解答を送信した登録ユーザの登録住所に景品を送付する。これにより、遊技場で遊技する遊技者が登録ユーザである場合、該登録ユーザが遊技場内のパチンコ機１に記された問題に対する解答をサービス提供サイトに送信することで、簡便に景品を取得することができる。【選択図】図５
2007267930.tif 000002
【特許請求の範囲】
【請求項１】
サービス提供サイトに備えたサーバと、予め会員登録されている登録ユーザの情報機器とをネットワークを介して接続し、該情報機器からの応募送信の内容が所定条件を満たした際に前記サービス提供サイト側から、該所定条件を満たした前記応募送信に対応する前記登録ユーザに景品を送付してなる通信サービスシステムであって、
前記サービス提供サイトの前記サーバが、前記登録ユーザの前記情報機器から、遊技場に配置された所定の遊技機に記された問題に対する解答を受信した際に、該解答が正解か否かを判定する判定手段を有し、
前記サービス提供サイトは、該判定手段が前記解答を正解と判定した際に前記所定条件を満たしているとし、該解答を送信した前記登録ユーザの特定情報に対し、前記遊技機に記された前記問題に対応する景品を送付してなる、
ことを特徴とする通信サービスシステム。
【請求項２】
前記問題は、前記遊技機に備えた遊技盤のセル画に記載されている、
請求項１記載の通信サービスシステム。
【請求項３】
前記問題は、謎々、間違い探しクイズ又はアミダくじの何れかである、
請求項１又は２記載の通信サービスシステム。
【請求項４】
前記情報機器は、携帯電話、携帯端末、ＰＤＡ又はノート型のパーソナルコンピュータの何れかである、
請求項１ないし３のいずれか記載の通信サービスシステム。
【発明の詳細な説明】
【技術分野】
【０００１】
本発明は、通信サービスシステムに係り、詳しくは、サービス提供サイト側から登録ユーザ宛てに景品を送付するようにした通信サービスシステムに関する。
【背景技術】
【０００２】
近年、ユーザが端末からネットワークを介してセンターにアクセスして、センターからポイントを取得し、該ポイントを取得したユーザがポイントの持ち分で所望のゲームを行い、ゲーム終了の後、景品の一覧が端末に表示され、ユーザが端末に表示された景品の一覧からユーザのポイント残高で交換できる所望の景品を選択するようにしたネットワークによるゲーム管理システムが知られている（特許文献１参照）。この管理システムでは、端末からの選択された景品情報を、ネットワークを介してセンターが受信すると、センターからユーザに景品が配送される
【０００３】
上記ゲーム管理システムでは、ユーザがポイントに応じて景品の選択を行うことができると共に、所望の時間に所望の場所で景品を取得することができるため、ゲームサービス、利便性が向上される。そして、ユーザが自宅に居ながら、任意の時間にパチンコゲームやスロットゲーム等で遊技することができる。
【０００４】
【特許文献１】特開２００１−３００１２４号公報
【発明の開示】
【発明が解決しようとする課題】
【０００５】
ところで、上記特許文献１に記載のゲーム管理システムにあっては、ユーザがゲームを楽しんだ後、取得ポイントの残高に応じて、ユーザが所望する場所で所望の時間に景品を取得できるという利便性はあるものの、ポイント取得は単に手元のゲームを遊技したことに対するものであり、例えば、実際のパチンコホール等の遊技場とリンクした遊技で景品を取得できるような、より興趣を高め得るシステムの実現が望まれる。
【０００６】
そこで本発明は、パチンコホール等の遊技場で遊技する遊技者がシステムの登録ユーザである場合に、該登録ユーザが遊技場内で眼にした問題等に対する解答をサービス提供側のサイトに送信することで景品を取得できるように構成し、もって上述した課題を解決した通信サービスシステムを提供することを目的とするものである。
【課題を解決するための手段】
【０００７】
請求項１に係る本発明は（例えば図１ないし図７参照）、サービス提供サイト（３８）に備えたサーバ（３８ａ）と、予め会員登録されている登録ユーザの情報機器（４１）とをネットワーク（４０）を介して接続し、該情報機器（４１）からの応募送信の内容が所定条件を満たした際に前記サービス提供サイト（３８）側から、該所定条件を満たした前記応募送信に対応する前記登録ユーザに景品を送付してなる通信サービスシステム（３９）であって、
前記サービス提供サイト（３８）の前記サーバ（３８ａ）が、前記登録ユーザの前記情報機器（４１）から、遊技場に配置された所定の遊技機（１）に記された問題（４３、４５又は４９）に対する解答を受信した際に、該解答が正解か否かを判定する判定手段（６２）を有し、
前記サービス提供サイト（３８）は、該判定手段（６２）が前記解答を正解と判定した際に前記所定条件を満たしているとし、該解答を送信した前記登録ユーザの特定情報に対し、前記遊技機（１）に記された前記問題（４３、４５又は４９）に対応する景品を送付してなる、
ことを特徴とする通信サービスシステム（３９）にある。
【０００８】
なお、本発明における上記「ネットワーク」は、携帯電話網、インターネット網、公衆有線電話網等を含む広い概念である。また、本発明における上記「景品」は、景品そのもの（いわゆる品物）は勿論、景品の引換え券をも含む広い概念である。
【０００９】
請求項２に係る本発明は（例えば図６及び図７参照）、前記問題（４３、４５又は５０）が、前記遊技機（１）に備えた遊技盤（３）のセル画に記載されている、
請求項１記載の通信サービスシステム（３９）にある。
【００１０】
請求項３に係る本発明は（例えば図６及び図７参照）、前記問題が、謎々（４３）、間違い探しクイズ（４５）又はアミダくじ（５０）の何れかである、
請求項１又は２記載の通信サービスシステム（３９）にある。
【００１１】
請求項４に係る本発明は（例えば図１参照）、前記情報機器が、携帯電話（４１）、携帯端末、ＰＤＡ（Personal Digital Assistant）又はノート型のパーソナルコンピュータの何れかである、
請求項１ないし３のいずれか記載の通信サービスシステム（３９）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、サービス提供サイト側の判定手段が、受信した登録ユーザの情報機器からの解答が正解か否かを判定し、サービス提供サイトが、判定手段が解答を正解と判定した際に、該解答を送信した登録ユーザの特定情報に対し景品を送付するので、パチンコホール等の遊技場で遊技する遊技者が登録ユーザである場合に、該登録ユーザが遊技場内の遊技機に記された問題に対する解答をサービス提供サイトに送信することにより、簡便に景品を取得することができる。これにより、実際の遊技場とリンクした遊技で景品を取得できるという、興趣の高い通信サービスシステムを実現することができる。
【００１４】
請求項２に係る本発明によると、遊技機に備えた遊技盤のセル画に問題が記載されているので、遊技場に実際に足を運んで遊技機で遊技する遊技者が登録ユーザである場合に、この登録ユーザに、セル画に描かれた問題を比較的容易に発見させ、それに対する解答を、携帯電話等の情報機器からサービス提供サイトに簡便に送信させ、景品応募を手軽に行わせることができる。
【００１５】
請求項３に係る本発明によると、問題が謎々、間違い探しクイズ又はアミダくじの何れかであるので、問題を発見した遊技者が比較的容易に解答を見いだし、サービス提供側サイトに手軽に送信、応募することができる。
【００１６】
請求項４に係る本発明によると、情報機器が携帯電話、携帯端末、ＰＤＡ又はノート型のパーソナルコンピュータの何れかであるので、登録ユーザが情報機器を遊技場に手軽に所持、持参して、発見した問題に対する解答を容易に応募送信することができる。
【発明を実施するための最良の形態】
【００１７】
以下、本発明に係る通信サービスシステムの実施の形態を図面に沿って説明する。なお、図１は、本実施の形態における通信サービスシステムの全体構成の概略を示す模式図、図２は、サービス提供サイトに備えたサーバの内部構成を示す概略ブロック図、図３は、携帯電話（情報機器）の内部構成を示す概略ブロック図である。
【００１８】
図１に示すように、通信サービスシステム３９は、サーバ３８ａを有するサービス提供サイト３８を備えており、予め会員登録されている登録ユーザの携帯電話４１とをネットワーク４０を介して接続し、該携帯電話４１からの応募送信の内容が所定条件を満たした際にサービス提供サイト３８側から、該所定条件を満たした応募送信に対応する登録ユーザに景品を送付する。
【００１９】
本実施の形態におけるネットワーク４０は、携帯電話網、インターネット網、公衆有線電話網等を含む広い概念であり、携帯電話４１、不図示の携帯端末、ＰＤＡ、所謂ノート型のパーソナルコンピュータ等の情報機器を、サービス提供サイト３８側に接続する。
【００２０】
図２に示すように、サービス提供サイト３８のサーバ３８ａでは、コンピュータ内部でデータ授受を行うためのデータバス５９に、ウェブデータ管理部６０、表示部６１、解答データ判定部（判定手段）６２、登録ユーザ情報データベース６３、ＣＰＵ６４、メモリ６５、入力部６６、及び通信インターフェース６７が接続されている。
【００２１】
ウェブデータ管理部６０は、サービス提供サイト３８で運営しているウェブページを、アクセスしてきた携帯電話４１等の情報機器の表示画面に表示するためのデータを管理する。表示部６１は、サービス提供サイト３８側で必要な各種の表示を行う。
【００２２】
解答データ判定部（判定手段）６２は、通信インターフェース６７を介して受信した登録ユーザの携帯電話４１からの解答データに対する正誤の判定を行う。即ち、解答データ判定部６２は、サーバ３８ａが、登録ユーザの携帯電話４１等の情報機器から、遊技場に配置された所定のパチンコ機１（図４参照）に記された問題（謎々４３、間違い探しクイズ４５、アミダくじ５０(図５及び図６参照)）に対する解答を受信した際に、記憶している正解と比較して、当該解答が正解か否かを判定する。
【００２３】
登録ユーザ情報データベース６３は、登録ユーザの種々の情報（氏名、性別、年齢、住所(登録住所)、電話番号等）を記憶している。ＣＰＵ６４は、サーバ３８ａの全体の制御を統括的に行う。メモリ６５は、ＣＰＵ６４の動作プログラム等のソフトウェアを記憶する領域、及びＣＰＵ６４が処理を実行する際の作業領域を備えている。入力部６６は、サーバ３８ａの管理者が種々の指示をサーバ３８ａに対して行うための不図示のキーボード等である。通信インターフェース６７は、サーバ３８ａをネットワーク４０に接続するためのものである。
【００２４】
図３に示すように、携帯電話４１では、コンピュータ内部でデータ授受を行うためのデータバス６９に、表示部７１、通話部７２、ＣＰＵ７３、メモリ７４、入力部７５、及び公衆回線用無線通信部７６が接続されている。
【００２５】
表示部７１は、画像データ等の各種表示を行う液晶パネル等から構成されている。通話部７２は、通話を行うためのマイク及びスピーカを備えて構成されている。ＣＰＵ７３は、携帯電話４１の全体の制御を統括的に行うと共に、通信制御及び表示制御等も行う。メモリ７４は、ＣＰＵ７３の動作プログラム等のソフトウェア、ユーザ識別用の識別コード等が記録される領域、ＣＰＵ７３が処理を実行する際の作業領域、及び画像データを記録する領域を備えている。入力部７５は、ユーザ（登録ユーザを含む）が種々の指示を携帯電話４１に対して行うための操作ボタン等を備える。公衆回線用無線通信部７６は、公衆回線と無線通信することにより通話や電子メールの送信／受信を行う。
【００２６】
すなわち、通信サービスシステム３９では、サーバ３８ａが、登録ユーザの携帯電話４１等の情報機器から、遊技場に配置された所定のパチンコ機１（図４参照）に記された問題（謎々４３、間違い探しクイズ４５、アミダくじ５０）（図６及び図７参照）に対する解答を受信した際に、解答データ判定部６２で、該解答が正解か否かを判定する。そして、該解答データ判定部６２が解答を正解と判定した場合、サービス提供サイト３８は、所定条件を満たしているとし、該解答を送信した登録ユーザの登録住所（特定情報）宛てに（即ち、特定情報に対し）、パチンコ機１に記された問題４３、４５又は５０に対応する景品を送付する。
【００２７】
ついで、図４ないし図６に沿って、本実施形態の通信サービスシステム３９の解答の対象となる問題が記載されたパチンコ機１について説明する。なお、図４は、本パチンコ機１が複数台配置された遊技島設備Ｉｓを概略的に示す模式図、図５は、本パチンコ機１の外部構造を示す正面図である。また図６は、本パチンコ機の遊技盤を単体で示す正面図であり、（ａ）は変形例、（ｂ）は別の変形例である。
【００２８】
図４に示すように、遊技島設備Ｉｓでは、複数のパチンコ機１が横一列に順次配置されており、各パチンコ機１は、図５に示すように、発射ハンドル２の操作による発射装置（図示せず）の作動で遊技球（所謂パチンコ玉）を遊技盤３の遊技領域３ａに向かって打ち出しつつ遊技を行うように構成されている。このパチンコ機１では、所謂確率変動等の大当たりが発生した状態でアタッカー５に入球した遊技球に対応する数の遊技球を払い出す。確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２９】
パチンコ機１は、開口を有する枠体状の筐体６と、遊技盤３を支持した形で筐体６に開閉可能に支持された前扉７とを有しており、前扉前面には、透明ガラス９を有するガラス枠１０が、前扉７の遊技盤保持枠（図示せず）に対して開閉可能に取り付けられている。透明ガラス奥側には、遊技盤３が配設されている。前扉７における遊技盤３の左右には演出用照明装置１１が配設されており、前扉７における上部左右、及び下部の皿ユニット１６の左右には、放音装置１２がそれぞれ配設されている。ガラス枠１０における右方には、前扉７を筐体６側に施錠又は解放し、或いは、ガラス枠１０を前扉７側に施錠又は解放するための施錠装置１３が配設されている。本パチンコ機１は、遊技中に遊技領域３ａにて入賞することなく落下してアウト口（図示せず）に進入した遊技球をパチンコ機背面側に導くアウト球通路（図示せず）を有している。なお、図５中の符号４は、打ち出された遊技球を遊技領域３ａに案内するガイドレールである。
【００３０】
そして、前扉７の下部中央には皿ユニット１６が配置されており、皿ユニット１６の右上部には、賞球及び貸球を含む遊技球が供給される球供給口１７が設けられ、皿ユニット１６の右上部壁面には、球貸ボタン１９ａ及びプリペイドカード返却ボタン１９ｂが配置されている。皿ユニット１６の中央左部には、該皿ユニット１６上の遊技球を発射装置付近から皿ユニット下部の球排出口（図示せず）を通して下方に排出するための第１球抜きボタン２０ａが配設されており、皿ユニット１６の中央下部には、該皿ユニット１６上の遊技球を球供給口１７付近から上記球排出口を通して下方に排出するための第２球抜きボタン２０ｂが配設されている。また、前扉７における皿ユニット１６の右方下部には発射ハンドル２が設けられており、皿ユニット１６の左方下部には灰皿２１が設けられている。
【００３１】
また、遊技領域３ａの中央部分にはセンター飾り２３が配置されており、該センター飾り２３の左右下方には、それぞれ大当たり抽選に寄与しない一般の入賞が行われる入賞口２５，２６が配設されている。センター飾り２３は、その背面に、中央部の開口から画面を露出させた画像表示装置３５を固定して有していると共に、該開口の右上部に、一対の開閉部材５５ａ，５５ｂが開閉動作する桃型の可動演出装置５５を有している。センター飾り２３の上記開口の右側部には、桃太郎のフィギュアモデル４９が配置されている。また、センター飾り２３の直下方には、大当たり抽選実行の契機となり得る入賞が行われる始動チャッカー２７と、大当たり発生時に開放するアタッカー５と、が順次配設されている。始動チャッカー２７の左右には、始動チャッカー２７を開閉動作させるための抽選の契機となる入球が行われる普通図柄作動ゲート（スルーゲート）３２がそれぞれ配置されている。遊技領域３ａにおけるセンター飾り２３、普通図柄作動ゲート３２、入賞口２５，２６及び始動チャッカー２７等の周囲には、不図示の多数の障害釘が打ち込まれている。
【００３２】
遊技領域３ａの表面（前面）には、センター飾り２３、普通図柄作動ゲート３２、入賞口２５，２６及び始動チャッカー２７、アタッカー５等を除く部位に、遊技領域３ａを装飾するための装飾絵柄が印刷された所謂セル画シート材が貼付されている。そして、図５におけるセル画シート材には、センター飾り２３の左方に、「桃太郎は何から生まれた？」という文言の謎々４３が描かれている。この場合、「桃」が正解であり、それ以外の解答は不正解となる。
【００３３】
また、図６（ａ）におけるセル画シート材には、センター飾り２３の左方に、問題として間違い探しクイズ４５が描かれている。この間違い探しクイズ４５には、フィギュアモデル４９と同様の顔であるが鉢巻きの絵柄４６ａ，４６ｂ，４６ｃ，４６ｄがそれぞれ異なる桃太郎の顔４５ａ，４５ｂ，４５ｃ，４５ｄが備えられている。この場合、桃太郎の顔４５ａ，４５ｃ，４５ｄは、いずれも鉢巻きの絵柄４６ａ，４６ｃ，４６ｄが、フィギュアモデル４９の鉢巻きの絵柄４９ａとは異なるので正解ではなく、フィギュアモデル４９の鉢巻きの絵柄４９ａと同じ絵柄４６ｂを有する桃太郎の顔４５ｂが正解となる。
【００３４】
図６（ｂ）におけるセル画シート材には、センター飾り２３の左方に、問題としてアミダくじ５０が描かれている。このアミダくじ５０には、桃太郎に因んだ桃絵柄５１、ブドウ絵柄５２、及びメロン絵柄５３が備えられている。この場合、アミダくじを辿っていくと、ブドウ絵柄５２及びメロン絵柄５３はいずれも、「GOAL」と記載されたアタッカー５に到達することはできず不正解であり、桃絵柄５１のみが、アミダくじを辿って「GOAL」に到達できる正解となる。
【００３５】
上述した謎々４３、間違い探しクイズ４５、及びアミダくじ５０は、同機種ながらも互いにスペック（大当たり確率や出玉数等）が異なるシリーズものの遊技盤３にそれぞれ描かれるものである。
【００３６】
したがって、上述の構成を有するパチンコ機１を多数配置した遊技場に出向いた遊技者が通信サービスシステム３９の登録ユーザである場合、この登録ユーザが、パチンコ機１に対座し、発射ハンドル２の操作で遊技領域３ａに遊技球を打ち出して遊技を行いながら、パチンコ機１の遊技盤３のセル画シート材に記された謎々４３に対する解答を、サービス提供サイト３８に送信すると、当該解答データが、サーバ３８ａの解答データ判定部６２で正誤を判定される。その結果、登録ユーザが「桃」を解答として送信していた場合、解答データ判定部６２は当該解答が正解であると判定する。それに対応して、サービス提供サイト３８側では、登録ユーザ情報データベース６３から、当該登録ユーザの氏名、性別、年齢、住所、電話番号等を検索して、解答データを送信した登録ユーザの登録住所宛てに、パチンコ機１に記された謎々４３に対応する景品を、郵送等の配達手段を介して送付する。
【００３７】
また、登録ユーザが、図６（ａ）や（ｂ）に示した間違い探しクイズ４５やアミダくじ５０に対する解答をサービス提供サイト３８に送信した場合も、当該解答が正解であると判定された際には、解答データを送信した登録ユーザの登録住所宛てに、パチンコ機１に記された間違い探しクイズ４５やアミダくじ５０に対応する景品が送付されることとなる。なお、当該景品として、景品そのものではなく景品の引換え券を送付してもよく、その場合、引換え券を受け取った登録ユーザは、指定の交換所（例えば、所謂コンビニエンスストア）で実際の景品と交換することになる。
【００３８】
以上説明したように本実施の形態では、サービス提供サイト３８側の解答データ判定部６２が、受信した登録ユーザの携帯電話４１等の情報機器からの解答が正解か否かを判定し、サービス提供サイト３８が、解答データ判定部６２が解答を正解と判定した際に、該解答を送信した登録ユーザの登録住所に（即ち、特定情報に対し）景品を送付する。このため、遊技場で遊技する遊技者が登録ユーザである場合に、該登録ユーザが遊技場内のパチンコ機１に記された問題（謎々４３、間違い探しクイズ４５、アミダくじ５０）に対する解答をサービス提供サイト３８に送信することにより、簡便に景品を取得することができる。これにより、実際の遊技場とリンクした遊技で景品を取得できるという、興趣の高い通信サービスシステムを実現することができる。
【００３９】
また、パチンコ機１に備えた遊技盤３のセル画に問題が記載されているので、遊技場に実際に足を運んでパチンコ機１で遊技する遊技者が登録ユーザである場合に、この登録ユーザに、セル画に描かれた問題を比較的容易に発見させ、それに対する解答を、携帯電話４１等の情報機器からサービス提供サイト３８に簡便に送信させ、景品応募を手軽に行わせることができる。更に、問題が謎々４３、間違い探しクイズ４５又はアミダくじ５０の何れかであるので、問題を発見した遊技者が比較的容易に解答を見いだし、サービス提供側サイト３８に手軽に送信、応募することができる。また、情報機器が携帯電話４１、携帯端末、ＰＤＡ又はノート型のパーソナルコンピュータの何れかであると、登録ユーザが情報機器を遊技場に手軽に所持、持参して、発見した問題に対する解答を容易に応募送信することができる。
【００４０】
以上、本発明をその好適な実施の形態に基づいて説明したが、本発明の通信サービスシステムは、上記実施形態の構成にのみ限定されるものではなく、上記実施形態の構成から種々の修正及び変更を施した通信サービスシステムも、本発明の範囲に含まれる。
【図面の簡単な説明】
【００４１】
【図１】本発明の実施形態における通信サービスシステムの全体構成を示す模式図である。
【図２】サービス提供サイトに備えたサーバの内部構成を示す概略ブロック図である。
【図３】携帯電話の内部構成を示す概略ブロック図である。
【図４】パチンコ機が複数台配置された遊技島設備を概略的に示す模式図である。
【図５】パチンコ機の外部構造を示す正面図である。
【図６】パチンコ機の遊技盤を単体で示す正面図であり、（ａ）は変形例、（ｂ）は別の変形例である。
【符号の説明】
【００４２】
１    遊技機（パチンコ機）
３    遊技盤
３ａ    遊技領域
３８    サービス提供サイト
３８ａ    サーバ
３９    通信サービスシステム
４０    ネットワーク
４１    情報機器（携帯電話）
４３，４５，４９    問題（謎々、間違い探しクイズ、アミダくじ）
６２    判定手段（解答データ判定部）
【図１】
2007267930.tif 000003
【図２】
2007267930.tif 000004
【図３】
2007267930.tif 000005
【図４】
2007267930.tif 000006
【図５】
2007267930.tif 000007
【図６】
2007267930.tif 000008